(57)【要約】【課題】  従来普及している玄関のＵ字型ドアガードでは、ドアの本鍵を壊してわずかに開いた隙間から紐を使って簡単にロックを外せる。これを防止し、かつ、スムーズに脱着できるための玄関のＵ字型ドアガード補強具を提供する。【解決手段】  長方形のストッパー落下防止カバーの短い辺の一端にストッパーを設け、その反対側の一端にはフック状面ファスナーを設け、その裏面は全面にループ状面ファスナーが設けられたストッパーを、Ｕ字型玄関ドアガードのロックアーム空間部に埋め込み、ロックアームにストッパー落下防止カバーを巻きつけて固定した玄関のＵ字型ドアガード補強具。【選択図】図６
2019019653.tif 000002
【特許請求の範囲】
【請求項１】
長方形のストッパー落下防止カバーの短い辺の一端にストッパーを設け、その反対側の一端にはフック状面ファスナーを設け、その裏面は全面にループ状面ファスナーが設けられたストッパーを、Ｕ字型ドアガードのロックアーム空間部に埋め込み、ロックアームにストッパー落下防止カバーを巻きつけて固定した玄関のＵ字型ドアガード補強具。
【発明の詳細な説明】
【技術分野】
【０００１】  本発明は、従来の玄関のＵ字型ドアガードの防犯強化に関するものである。
【背景技術】
【０００２】  通常のＵ字型ドアガードは、ロックしたまま１０センチメートルほどドアを開けられる。ロックしたままセールスマン対応や宅急便の支払いや回覧板の受け取りなどできるため普及している。また、在宅時には補助鍵的な意味合いで使っている人々もいる。しかし、このドアガードでは内鍵の役目を完全に果たすことができない。
これに対応する防犯グッズは、Ｕ字型ドアガードにロック機能装置を追加して設け、必要に応じてドアを動かなくするものがある。（特許文献１、特許文献２参照）
【先行技術文献】
【特許文献】
【０００３】
【特許文献１】特開２００５−０３６４０２号公報
【特許文献２】実用新案登録第３２０９８５８号公報
【発明の概要】
【発明が解決しようとする課題】
【０００４】  Ｕ字型ドアガードは、ロックしたままドアを少し開けることができれば、紐を使ってあっという間にロックを外せることがわかっている。本鍵を壊してドアを僅かに開けて紐で開錠し、家宅侵入する被害が既に複数出ているところである。さらに、このロック開錠の手口がＹｏｕＴｕｂｅで公開されたため、被害は拡大するものと思われる。
一方、宅配便の対応時など、少しだけドアを開けられるような従来の機能も必要である。これを解決する特許文献１には次のような問題点があった。
（イ）  ロック機能装置を工具で壁に固定する必要がある。賃貸住宅の場合許可がもら          えるとは限らない。
（ロ）  工具を使いこなせない高齢者や女性にとっては設置が難しい。
また、特許文献２には次のような問題点があった。
（イ）  内鍵となるストッパーを簡単に外せない。
（ニ）  ストッパーを装着したままロックアームを回転させることが難しく、ドアから          出入りしにくくなる。
本発明は、これらの問題点を解決ためになされたものである。
【課題を解決するための手段】
【０００５】  長方形のストッパー落下防止カバーの短い辺の一端にストッパーを設け、その反対側の一端にはフック状面ファスナーを設け、その裏面は全面にループ状面ファスナーが設けられたストッパーを、Ｕ字型ドアガードのロックアーム空間部に埋め込み、ロックアームにストッパー落下防止カバーを巻きつけて固定した玄関のＵ字型ドアガード補強具である。
【発明の効果】
【０００６】  （イ）建物等に傷がつかず、賃貸住宅でも大家の許可なく使用可能である。
（ロ）工具が不要で、女性や高齢者でも使用できる。
（ハ）構造が簡単で、脱着が容易である。
（ニ）ドアから出入りしたい時に補強具を外す必要がない。
【図面の簡単な説明】
【０００７】
【図１】Ｕ字型ドアガードのロックアームの斜視図である。
【図２】Ｕ字型ドアガードのロックピンの斜視図である。
【図３】Ｕ字型ドアガードをロックした状態の斜視図である。
【図４】本発明を裏から見た斜視図である。
【図５】本発明を表から見た斜視図である。
【図６】本発明を使って内鍵がかかった状態にしようとする時の図である。
【図７】本発明を使って内鍵がかかった状態を示す斜視図である。
【発明を実施するための形態】
【０００８】    まず、Ｕ字型ドアガード（１５）の構造について記述する。
（イ）  ドアに台座（１）が設けられ、その台座（１）にロックアーム基底部（２）が取      り付けられている。台座（１）とロックアーム基底部（２）とはネジ留めされてお      り、ロックアーム（３）は水平方向に９０度回転できる状態である。
（ロ）  ロックアーム（３）は２本の並行な金属棒で構成され、その先端部はＵ字型に閉      じられている。これをＵ字型先端部（４）とする。また、ロックアームを構成する      ２本の金属棒が平行直線になっている部分をロックアーム平行部（５）とすると、      一般的に市販されているＵ字型ドアガード（１５）はいろいろあるが、いずれもロ      ックアーム平行部（５）の長さはほぼ同じで７．５センチメートルから８．０セン      チメートルであった。
（ハ）  一方、ドアが接する壁にはロックピン（７）が設けられている。ロックピン（７      ）はロックピン基底部（８）の先に、ふくらみのあるロックピン先端部（９）が続      いている。ロックピン基底部（８）の高さはロックアーム（３）の幅とほぼ同じに      設定されており、ロックアーム（３）を９０度水平回転させると、図３のようにロ      ックピン嵌合孔（６）にロックピン（７）が収まる。この状態を、Ｕ字型ドアガー      ド（１５）をロックした状態ということにする。
（ニ）  Ｕ字型ドアガード（１５）をロックした状態でドアを開けようとすると、ロック      ピン基底部（８）がロックアーム（３）のストッパー案内孔（１０）を通り抜け、      それにつれてドアが開く。そしてロックピン基底部（８）がＵ字型先端部（４）に      達すると、それ以上ドアを開くことができない状態になる。
【０００９】  次に本発明の構造について記述する。
図４に示すように、長方形のストッパー落下防止カバー（１１）の短い辺の一端にストッパー（１２）が設けられている。ストッパーの長さはストッパー案内孔（１０）に収まるよう、ロックアーム平行部（５）と同じ長さにしておく。ストッパー（１２）の反対側の短い辺の一端には、フック状面ファスナー（１３）が設けられている。
このストッパー（１２）やフック状面ファスナー（１３）がある面を裏とする。
この裏の反対側を表とする。表には全面にループ状面ファスナー（１４）が設けられている。
【００１０】  続いて、本発明を使用した状態の説明を記述する。
ロックアーム（３）をドアから９０度水平回転させ、Ｕ字型ドアガード（１５）をロックした状態にする。
次にストッパー案内孔（１０）にストッパー（１２）を嵌合させる。すると図６に示すように、ストッパー（１２）からストッパー落下防止カバー（１１）が垂れ下がる状態になるので、それをロックアーム（３）に巻きつけ、図７のようにフック状面ファスナー（１３）とループ状面ファスナー（１４）を噛合させる。ストッパー落下防止カバー（１１）の表には全面にループ状面ファスナー（１４）を設けてあるので、ロックアーム（３）の大きさには関係なく噛合できる。この状態の時、ストッパー（１２）とロックピン基底部（８）は強く接合しておらず、その間には１〜数ミリ程度の隙間がある。
この状態でドアを開けようとしても、ロックピン基底部（８）はストッパー（１２）に阻まれ、ストッパー案内孔（１０）を通り抜けてＵ字型先端部（４）に達することはできない。これを内鍵がかかった状態ということにする。内鍵がかかった状態では、本鍵を壊されてもドアを開けることができず、家宅侵入を防げる。
人間が玄関から出入りしたい時、本発明を取り外す必要はない。ロックピン基底部（８）と嵌合されたストッパー（１２）の間には僅かな隙間があって摩擦がないため、本発明を装着したままでもスムーズにロックアーム（３）を水平回転させてＵ字型ドアガード（１５）のロックを外し、ドアを自由に開閉することができる。
ドアを半開きにしたい時は、内鍵がかかった状態から本発明を取り外し、Ｕ字型ドアガード（１５）をロックした状態にすればよい。取り付けの逆の操作であり、数秒で本発明を取り外すことができる。
【符号の説明】
【００１１】    １  台座
２  ロック基底部
３  ロックアーム
４  Ｕ字型先端部
５  ロックアーム平行部
６  ロックピン嵌合孔
７  ロックピン
８  ロックピン基底部
９  ロックピン先端部
１０  ストッパー案内孔
１１  ストッパー落下防止カバー
１２  ストッパー
１３  フック状面ファスナー
１４  ループ状面ファスナー
１５  Ｕ字型ドアガード
【図１】
2019019653.tif 000003
【図２】
2019019653.tif 000004
【図３】
2019019653.tif 000005
【図４】
2019019653.tif 000006
【図５】
2019019653.tif 000007
【図６】
2019019653.tif 000008
【図７】
2019019653.tif 000009